(57)【要約】【課題】ＣＤ−ＲＯＭドライブなどのドライブ装置に特別なファンモーターを設けることなく装置内部を冷却するようにしたドライブ冷却用ＣＤアダプターを提供することを目的とする。【解決手段】ドーナツ状の基体１からなり、その内側にシングルディスク２を装着するようにしたドライブ冷却用ＣＤアダプターにおいて、前記基体１のレーベル面側に冷却用羽３を複数枚配設する。【選択図】図１
2004288321.tif 000002
【特許請求の範囲】
【請求項１】
ドーナツ状の基体からなり、その内側にシングルディスクを装着するようにしたドライブ冷却用ＣＤアダプターにおいて、
前記基体のレーベル面側に冷却用羽を内周円から接線を引くように複数枚配設し、これら冷却用羽の肉厚を外周円に向かって薄く形成するとともに、前記冷却用羽を配接した近傍に、基体を斜めに貫通する切込み溝を形成したことを特徴とするドライブ冷却用ＣＤアダプター。
【請求項２】
ドーナツ状の基体からなり、その内側にシングルディスクを装着するようにしたドライブ冷却用ＣＤアダプターにおいて、
前記基体のレーベル面側に冷却用羽を複数枚配設したことを特徴とするドライブ冷却用ＣＤアダプター。
【請求項３】
ドーナツ状の基体からなり、その内側にシングルディスク用のデータ記録部を備え、このデータ記録部の外側のレーベル面側に冷却用羽を複数枚配設したことを特徴とするドライブ冷却用ＣＤアダプター。
【請求項４】
前記冷却用羽を内周円から接線を引くように配設してなることを特徴とする請求項２または請求項３に記載のドライブ冷却用ＣＤアダプター。
【請求項５】
前記冷却用羽の肉厚を外周円に向かって薄く形成したことを特徴とする請求項２乃至請求項４のいずれか１つに記載のドライブ冷却用ＣＤアダプター。
【請求項６】
前記基体の冷却用羽を配接した近傍に、基体を斜めに貫通する切込み溝を形成したことを特徴とする請求項２乃至請求項５のいずれか１つに記載のドライブ冷却用ＣＤアダプター。
【発明の詳細な説明】
【０００１】
【発明の属する技術分野】本発明は、ＣＤ−ＲＯＭドライブなどのドライブ装置に特別なファンモーターを設けることなく装置内部を冷却するようにしたドライブ冷却用ＣＤアダプターに関する。
【０００２】
【従来の技術】近年、ＣＤ−ＲＯＭなどの光ディスクを記録媒体とするドライブ装置は、その高速化の要求が高まり、高速シーク、ディスクからのデータの高速読み出し、ホストコンピュータへの高速データ転送などを可能としたものが種々登場している。このような装置にあっては、当然ながらディスクを高速に回転する必要があり、データベースを高速に回転するためには、スピンドルモーターに供給する駆動パルス信号を高い周波数でスイッチングする必要がある。
【０００３】このようにスピンドルモーターを高速に駆動するに従ってモーター駆動回路の発熱に起因して、レーザー制御やドライブ制御が不安定となり、この種ドライブ装置の性能低下などの問題が深刻化してくる。この対策として、例えば他の電子機器などでその内部の発熱部品の冷却手段として用いられている冷却ファン装置一式を、この種ドライブ装置に組み込むことが考えられる。しかしながら、ＣＤ−ＲＯＭドライブなどのような小型のドライブ装置において、冷却ファン装置一式を組み込むようなスペースはなく、また仮に組み込み出来たとしてもそのコストや消費電力の増大といった問題を新たに誘発してしまうことになる。
【０００４】ところで、上述の点を考慮して従来では、例えばディスクを回転駆動するスピンドルモーターに対し送風ファンを結合分離自在に設け、ドライブ装置内温度が予め設定した所定温度を超えたときに、前記スピンドルモーターを所定速度で回転駆動し、待機位置に分離されている前記送風ファンを前記スピンドルモーターに結合させて一体回転させる制御手段を設けたものがある（例えば、特許文献１参照）。
【０００５】
【特許文献１】
特開平１１−１２６４７２号公報
【０００６】
【発明が解決しようとする課題】しかし、前述の特許文献１記載の構成では、スピンドルモーターのモーター軸に固着した永久磁石からなるマグネットチャックと、前記マグネットチャックに離間対向して配設され、通電励磁されて発生する電磁力により前記マグネットチャックの磁力に抗して前記送風ファンを待機位置に吸着し、消磁されたときに前記マグネットチャックによる前記送風ファンの吸着を許容するソレノイド、更には、制御手段などを用いており、その構成が極めて煩雑となり、またソレノイドなどを設置するスペースが必要となることから、この種装置が大型化する傾向にある他、勢い高価なものとなる、などといった課題がある。
【０００７】本発明は、上述した問題を解決するためになされたものであり、ＣＤ−ＲＯＭドライブなどのドライブ装置に特別なファンモーターを設けることなく装置内部を効果的に冷却するようにしたドライブ冷却用ＣＤアダプターを提供することを目的とする。
【０００８】
【課題を解決するための手段】かかる目的を達成するため、請求項１記載の発明では、ドーナツ状の基体からなり、その内側にシングルディスクを装着するようにしたドライブ冷却用ＣＤアダプターにおいて、前記基体のレーベル面側に冷却用羽を内周円から接線を引くように複数枚配設し、これら冷却用羽の肉厚を外周円に向かって薄く形成するとともに、前記冷却用羽を配接した近傍に、基体を斜めに貫通する切込み溝を形成する。
【０００９】請求項１記載の発明の構成によれば、ドライブ冷却用ＣＤアダプターをドライブ装置にセットし、ドライブ装置を駆動してドライブ冷却用ＣＤアダプターの内側に装着されたシングルディスクを再生すると、これに伴って基体のレーベル面側に配設された複数枚の冷却用羽によりドライブ装置内部に対流が発生し、装置内部が冷却される。しかも、前記冷却用羽は、内周円から接線を引くように配設されるとともに、外周円に向かって薄く形成しているので、冷却用羽の長さが最大となり、かつ回転時の遠心力による負荷を最小限に図りつつ、効果的に風を起すことができる。更に、冷却用羽を配接した近傍に、基体を斜めに貫通する切込み溝が形成されているので、対流が基体のレーベル面側からその裏側にも流れ、この種装置の駆動源であるモーター側にも廻りこみ、これらを冷却することができる。従って、この種ドライブ装置の温度上昇に起因する性能低下を、特別に冷却用のファンモーターや永久磁石、ソレノイドおよび制御手段などといったものを用いることなく防止することができる。
【００１０】請求項２記載の発明では、ドーナツ状の基体からなり、その内側にシングルディスクを装着するようにしたドライブ冷却用ＣＤアダプターにおいて、前記基体のレーベル面側に冷却用羽を複数枚配設する。
【００１１】請求項２記載の発明の構成によれば、ドライブ冷却用ＣＤアダプターをドライブ装置にセットし、ドライブ装置を駆動してドライブ冷却用ＣＤアダプターの内側に装着されたシングルディスクを再生すると、これに伴って基体のレーベル面側に配設された複数枚の冷却用羽によりドライブ装置内部に対流が発生し、装置内部が冷却される。従って、この種ドライブ装置の温度上昇に起因する性能低下を、特別に冷却用のファンモーターや永久磁石、ソレノイドおよび制御手段などといったものを用いることなく防止することができる。
【００１２】請求項３記載の発明では、ドーナツ状の基体からなり、その内側にシングルディスク用のデータ記録部を備え、このデータ記録部の外側のレーベル面側に冷却用羽を複数枚配設する。
【００１３】請求項３記載の発明の構成によれば、この種ドライブ装置の冷却が必要になった際、ドライブ冷却用ＣＤアダプターをドライブ装置にセットし、ドライブ装置を駆動すれば、基体のレーベル面側に配設された複数枚の冷却用羽によりドライブ装置内部に対流が発生し、装置内部は冷却される。しかも、前記データ記録部の再生ができる。
【００１４】請求項４記載の発明では、前記冷却用羽を内周円から接線を引くように配設する。
【００１５】請求項４記載の発明の構成によれば、冷却用羽の長さが最大となり、効果的に風を起すことができ、冷却効果が向上する。
【００１６】請求項５記載の発明では、前記冷却用羽の肉厚を外周円に向かって薄く形成する。
【００１７】請求項５記載の発明の構成によれば、回転時の遠心力による負荷を最小限にでき、ディスク再生用のスピンドルモーターに悪影響を与えることがない。
【００１８】請求項６記載の発明では、前記基体の冷却用羽を配接した近傍に、基体を斜めに貫通する切込み溝を形成する。
【００１９】請求項６記載の発明の構成によれば、冷却用羽を配接した近傍に、基体を斜めに貫通する切込み溝が形成されているので、対流が基体のレーベル面側からその裏側にも流れ、この種装置の駆動源であるスピンドルモーター側にも廻りこみ、これらを冷却することができる。
【００２０】
【発明の実施の形態】以下、本発明の実施の形態を図１乃至図３に基づき説明する。
【００２１】図１は、本発明の一実施の形態によるドライブ冷却用ＣＤアダプターを示す平面図、図２は、図１に示すドライブ冷却用ＣＤアダプターの側面図、図３は、シングルディスクを保持する保持部を拡大して示す拡大断面図である。
【００２２】１は、プラスチック樹脂などにより形成されたドーナツ状の基体で、その内側にシングルディスク２が装着される。この基体１のレーベル面側には、冷却用羽３が複数枚、この例では４枚配設されている。これら冷却用羽３は、内周円１１から接線を引くように、かつ外周円１２からはみ出さないように形成するとその長さが最大となり都合がよい。また、この冷却用羽３は、その肉厚が外周円に向かって薄く形成すると、回転時の遠心力による負荷を最小限とすることができる。
【００２３】４は、基体１の内側に装着されるシングルディスク２を保持する保持部で、シングルディスク２を載置する載置面４１と、シングルディスク２を押さえる爪４２とから形成され、この間でシングルディスク２を保持している。なお、図中２１は、シングルディスク２のセンタホールである。また、矢印ａは、シングルディスク２を再生したときの回転方向を示す。
【００２４】以上のような実施の形態では、ドライブ冷却用ＣＤアダプターを図示しないドライブ装置にセットし、ドライブ装置を駆動してドライブ冷却用ＣＤアダプターの内部に装着されたシングルディスク２を再生すると、これに伴って基体１のレーベル面側に配設された複数枚の冷却用羽３によりドライブ装置内部に風が発生し、シングルディスク２の再生とこの種ドライブ装置内部の冷却が同時に行われる。従って、この種ドライブ装置の温度上昇に起因する性能低下を防止することができる。また、既存のディスクドライブ装置に冷却ファンなどを追加する必要がない。更に前記冷却用羽３を、内接円１１から接線を引くように配設するとともに、外周円１２に向かって薄く形成しておくと、冷却用羽３の長さが最大となり、かつ回転時の遠心力による負荷を最小限に図りつつ、効果的に風を起すことができ、都合がよい。
【００２５】次に、図４および図５に示す本発明の他の実施の形態について説明する。この形態では、この種装置の駆動源であるスピンドルモーター側にも効果的に風が送風されるようにしたものである。なお、図４および図５において図１乃至図３と同じ符号を付した部分は略同一のものを示す。以下相違点を中心に説明する。
【００２６】図４は、ドライブ冷却用ＣＤアダプターを示す平面図、図５は、基体に形成した切込み溝部分を拡大して示す拡大断面図である。
【００２７】この形態では、前記冷却用羽３を配接した近傍に、基体１を斜めに貫通するように切込み溝１３を形成する。この切込み溝１３の傾斜角度は、１５〜６０度程度とするのが好ましい。１４は、切込み溝１３内を流れる風を裏側により効率的に誘導するために形成された誘導片である。この誘導片１４の先端から前記冷却用羽３の先端までの寸法は、５ｍｍ程度とすればよい。なお、図中矢印ｂは、風の流れを示す。
【００２８】この構成によれば、前述の実施の形態と同様、ドライブ冷却用ＣＤアダプターを図示しないドライブ装置にセットし、ドライブ装置を駆動してドライブ冷却用ＣＤアダプターの内部に装着されたシングルディスク２を再生すると、これに伴って基体１のレーベル面側に配設された複数枚の冷却用羽３によりドライブ装置内部に風が発生し、シングルディスク２の再生とこの種ドライブ装置内部の冷却が同時に行われる。更に、前記冷却用羽３により発生した風の一部は、冷却用羽３を配接した近傍に、基体１を斜めに貫通する切込み溝１３が形成されているので、矢印ｂで示すように基体１のレーベル面側からその裏側に流れ、この種装置の駆動源であるスピンドルモーター側にも廻りこみ、これらを効果的に冷却することができる。
【００２９】次に、図６に示す本発明の更に他の実施の形態について説明する。この形態では、基体の内側にシングルディスク用のデータ記録部を一体的に設けたものである。なお、図６において図１乃至図５と同じ符号を付した部分は略同一のものを示す。以下相違点を中心に説明する。
【００３０】図６は、ドライブ冷却用ＣＤアダプターを示す平面図である。この形態では、ドーナツ状の基体１の内側に、シングルディスク用のデータ記録部５を一体的に形成したものである。このデータ記録部５は、図示しないが通常のＣＤと同様、その内部構造は、レーザーが照射される側から、ポリカーボネイトなどからなる基板、有機色素層、金メッキなどからなる反射層、保護膜層および印刷ラベル層という順序で形成し、その後所望のデータが記録されている。図中５１は、センタホールである。なお、前記データ記録部５には、データを記録せずにユーザーが購入後に書き込めるようにしてもよいのは勿論である。
【００３１】この構成によれば、この種ドライブ装置で通常のディスクの再生を一定時間行い、ドライブ装置の温度上昇が問題となった際、本発明によるドライブ冷却用ＣＤアダプターを前記ドライブ装置にセットし、ドライブ装置を駆動すれば、これに伴って基体１のレーベル面側に配設された複数枚の冷却用羽３によりドライブ装置内部に風が発生し、ドライブ装置内部の冷却が行われると同時に、データ記録部５の再生が行われ、例えばデータ記録部５に記録された音楽を聴きくことができる。
【００３２】なお、上述した各実施の形態は、本発明の好適な実施の形態の例であるが、これに限定されるものではなく、本発明の要旨を逸脱しない範囲において、種々変形実施可能である。例えば、図１乃至図３あるいは図４および図５に示した実施の形態においても、ドライブ装置で通常のディスクの再生を一定時間行い、ドライブ装置の温度上昇が問題となった際、前述した本発明のドライブ冷却用ＣＤアダプターを使用するようにすれば、効果的にドライブ装置を冷却することができる。
【００３３】
【発明の効果】以上説明したように、請求項１記載の発明では、ドライブ冷却用ＣＤアダプターをドライブ装置にセットし、ドライブ装置を駆動してドライブ冷却用ＣＤアダプターの内側に装着されたシングルディスクを再生すると、これに伴って基体のレーベル面側に配設された複数枚の冷却用羽によりドライブ装置内部に対流が発生し、装置内部が冷却される。しかも、前記冷却用羽は、内周円から接線を引くように配設されるとともに、外周円に向かって薄く形成しているので、冷却用羽の長さが最大となり、かつ回転時の遠心力による負荷を最小限に図りつつ、効果的に風を起すことができる。更に、冷却用羽を配接した近傍には、基体を斜めに貫通する切込み溝が形成されているので、対流が基体のレーベル面側からその裏側にも流れ、この種装置の駆動源であるモーター側にも廻りこみ、これらを冷却することができる。従って、この種ドライブ装置の温度上昇に起因する性能低下を、特別に冷却用のファンモーターや永久磁石、ソレノイドおよび制御手段などといったものを用いることなく防止することができ、この種ドライブ装置側での変更が不要となる、などという効果を奏する。
【００３４】また、請求項２記載の発明では、ドライブ冷却用ＣＤアダプターをドライブ装置にセットし、ドライブ装置を駆動してドライブ冷却用ＣＤアダプターの内側に装着されたシングルディスクを再生すると、これに伴って基体のレーベル面側に配設された複数枚の冷却用羽によりドライブ装置内部に対流が発生し、装置内部が冷却される。従って、この種ドライブ装置の温度上昇に起因する性能低下を、特別に冷却用のファンモーターや永久磁石、ソレノイドおよび制御手段などといったものを用いることなく防止することができる。
【００３５】また、請求項３記載の発明では、この種ドライブ装置の冷却が必要になった際、ドライブ冷却用ＣＤアダプターをドライブ装置にセットし、ドライブ装置を駆動すれば、基体のレーベル面側に配設された複数枚の冷却用羽によりドライブ装置内部に対流が発生し、装置内部は冷却される。しかも、前記データ記録部の再生ができる。
【００３６】また、請求項４記載の発明では、冷却用羽の長さが最大となり、効果的に風を起すことができ、冷却効果が向上する。
【００３７】また、請求項５記載の発明では、回転時の遠心力による負荷を最小限にでき、ディスク再生用のスピンドルモーターに悪影響を与えることがない。
【００３８】更に、請求項６記載の発明では、冷却用羽を配接した近傍に、基体を斜めに貫通する切込み溝が形成されているので、対流が基体のレーベル面側からその裏側にも流れ、この種装置の駆動源であるスピンドルモーター側にも廻りこみ、これらを冷却することができる。
【図面の簡単な説明】
【図１】本発明の一実施の形態によるドライブ冷却用ＣＤアダプターを示す平面図である。
【図２】図１に示すドライブ冷却用ＣＤアダプターの側面図である。
【図３】シングルディスクを保持する保持部を拡大して示す拡大断面図である。
【図４】本発明の他の実施の形態によるドライブ冷却用ＣＤアダプターを示す平面図である。
【図５】基体に形成した切込み溝部分を拡大して示す拡大断面図である。
【図６】本発明の更に他の実施の形態によるドライブ冷却用ＣＤアダプターを示す平面図である。
【符号の説明】
１    基体
１１  内周円
１２  外周円
１３  切込み溝
２    シングルディスク
３    冷却用羽
５    データ記録部
【図１】
2004288321.tif 000003
【図２】
2004288321.tif 000004
【図３】
2004288321.tif 000005
【図４】
2004288321.tif 000006
【図５】
2004288321.tif 000007
【図６】
2004288321.tif 000008